(57)【要約】【課題】  テープ心線の被覆層を容易に剥がすことができて、容易に光ファイバに単心分岐することができる光ファイバテープ心線および光ファイバテープ心線の製造方法を提供する。【解決手段】  光ファイバテープ心線１０Ａ、１０Ｂをブラシ等で擦って上層のテープ被覆１６、１４を破壊して、サブユニットである光ファイバテープ心線等１０Ａ、１３を分離する。この際に、上層のテープ被覆１６、１４を破壊すると、上層のテープ被覆１６、１４と下層のテープ被覆１４、１２との間に設けたシリコーンオイルの剥離層１７、１５によって上層のテープ被覆１６、１４が容易に剥離するので、容易にサブユニットの光ファイバ心線１３または光ファイバテープ心線１０Ａを分離することができる。【選択図】      図１
2007328269.tif 000002
【特許請求の範囲】
【請求項１】
光ファイバを紫外線硬化型樹脂の被覆層で被覆した光ファイバ心線を複数本並列させて紫外線硬化型樹脂の被覆層でテープ状に一括被覆してなる光ファイバテープ心線又は、さらに前記光ファイバテープ心線を複数本並列させて紫外線硬化型樹脂の被覆層でテープ状に一括被覆してなる光ファイバテープ心線であって、
前記被覆層の下層と上層との界面にシリコーンオイルの剥離層が形成されていることを特徴とする光ファイバテープ心線。
【請求項２】
前記下層の被覆層に１〜５％のシリコーンオイルを添加した樹脂を用い、前記下層の被覆層からシリコーンオイルが表面にブリードした状態で前記上層の被覆層がオーバーコートされたことを特徴とする請求項１記載の光ファイバテープ心線。
【請求項３】
光ファイバを紫外線硬化型樹脂の被覆層で被覆した光ファイバ心線を複数本並列させて紫外線硬化型樹脂の被覆層でテープ状に一括被覆してなる光ファイバテープ心線又は、前記光ファイバテープ心線を複数本並列させて紫外線硬化型樹脂の被覆層でテープ状に一括被覆してなる光ファイバテープ心線の製造方法であって、
下層の前記被覆層に１〜５％のシリコーンオイルを添加し、前記シリコーンオイルが前記下層の被覆層の外表面にブリードした状態で上層の被覆層をオーバーコートして製造することを特徴とする光ファイバテープ心線の製造方法。
【発明の詳細な説明】
【技術分野】
【０００１】
本発明は光ファイバテープ心線および光ファイバテープ心線の製造方法に係り、例えば複数本の光ファイバ心線を並列させて一括被覆した光ファイバテープ心線またはさらに複数本の光ファイバテープ心線を並列させて一括被覆した光ファイバテープ心線および光ファイバテープ心線の製造方法に関するものである。
【背景技術】
【０００２】
近年、ＦＴＴＨ等の普及により多心の光ファイバテープ心線を用いる要求が強くなっている。このような光ファイバデープ心線を最終的に端末に配線して接続する際には、光ファイバテープ心線の被覆層を除去して、テープ心線を構成している光ファイバ心線を単心に分離する作業が必要となる。
また、光ファイバテープ心線として、複数本の光ファイバ心線を並列して一括被覆してサブユニットである光ファイバテープ心線を形成し、さらにこのサブユニットの光ファイバテープ心線を複数本並列して一括被覆して形成する光ファイバテープ心線が知られている（例えば特許文献１参照）。
【特許文献１】特開２００５−１１４７５０号公報
【発明の開示】
【発明が解決しようとする課題】
【０００３】
これらの光ファイバテープ心線の被覆層の除去は、専用工具を用いて行われるが、しかし、被覆が剥がれにくいという不都合があった。とりわけ、サブユニットの光ファイバテープ心線を複数本並列して一括被覆して形成したタイプの光ファイバテープ心線において、最外層の被覆層を除去して個々の光ファイバテープ心線に分割後、さらに分割された光ファイバテープ心線のうち所定の光ファイバテープ心線の被覆層のみを除去して光ファイバ心線に単心分離するような場合、従来の光ファイバテープ心線では、被覆の剥がれにくさから一度に全ての被覆層を除去することとなり、上記した段階的な被覆除去を行うことが難しかった。
【０００４】
本発明は、前述した問題点に鑑みてなされたものであり、その目的は、テープ心線の被覆層を容易に剥がすことができて、容易に光ファイバテープ心線に分割あるいは光ファイバ心線に単心分岐することができる光ファイバテープ心線および光ファイバテープ心線の製造方法を提供することにある。
【課題を解決するための手段】
【０００５】
前述した目的を達成するために、本発明にかかる光ファイバテープ心線の第１の特徴は、光ファイバを紫外線硬化型樹脂の被覆層で被覆した光ファイバ心線を複数本並列させて紫外線硬化型樹脂の被覆層でテープ状に一括被覆してなる光ファイバテープ心線又は、さらに前記光ファイバテープ心線を複数本並列させて紫外線硬化型樹脂の被覆層でテープ状に一括被覆してなる光ファイバテープ心線であって、前記被覆層の下層と上層との界面にシリコーンオイルの剥離層が形成されていることにある。
【０００６】
このように構成された光ファイバテープ心線においては、光ファイバテープ心線をブラシ等で擦って上層のテープ被覆を破壊して、サブユニットである光ファイバテープ心線等を分離する。この際に、上層のテープ被覆を破壊すると、上層のテープ被覆と下層のテープ被覆との間に設けたシリコーンオイルの剥離層によって上層のテープ被覆が容易に剥離するので、容易にサブユニットの光ファイバ心線または光ファイバテープ心線を分離することができる。
【０００７】
また、本発明にかかる光ファイバテープ心線の第２の特徴は、上記本発明の第１の特徴において、前記下層の被覆層に１〜５％のシリコーンオイルを添加した樹脂を用い、前記下層の被覆層からシリコーンオイルが表面にブリードした状態で前記上層の被覆層がオーバーコートされたことにある。
【０００８】
このように構成された光ファイバテープ心線においては、下層の被覆層に含まれているシリコーンオイルがブリードした状態で剥離層の役目を果たすので、上層の被覆層を擦って破壊すると、容易に上層の被覆層が剥離する。これにより、容易にサブユニットの光ファイバテープ心線を分離することができる。
【０００９】
また、本発明にかかる光ファイバテープ心線の製造方法の第３の特徴は、光ファイバを紫外線硬化型樹脂の被覆層で被覆した光ファイバ心線を複数本並列させて紫外線硬化型樹脂の被覆層でテープ状に一括被覆してなる光ファイバテープ心線又は、前記光ファイバテープ心線を複数本並列させて紫外線硬化型樹脂の被覆層でテープ状に一括被覆してなる光ファイバテープ心線の製造方法であって、下層の前記被覆層に１〜５％のシリコーンオイルを添加し、前記シリコーンオイルが前記下層の被覆層の外表面にブリードした状態で上層の被覆層をオーバーコートして製造することにある。
【００１０】
このように構成された光ファイバテープ心線の製造方法においては、光ファイバを紫外線硬化型樹脂の被覆層で被覆した光ファイバ心線を複数本並列させて紫外線硬化型樹脂の被覆層でテープ状に一括被覆して光ファイバテープ心線を製造する。又は、前述のようにして製造した光ファイバテープ心線を複数本並列させて、さらに紫外線硬化型樹脂の被覆層でテープ状に一括被覆してなる光ファイバテープ心線を製造する。このとき、下層の被覆層に１〜５％のシリコーンオイルを添加し、このシリコーンオイルが下層の被覆層の外表面にブリードした状態で上層の被覆層をオーバーコートするようにするので、下層の被覆層と上層の被覆層との間に容易に剥離層を設けることができる。
【発明の効果】
【００１１】
本発明によれば、上層のテープ被覆と下層のテープ被覆との間にシリコーンオイルの剥離層を設けたので、光ファイバテープ心線をブラシ等で擦って上層のテープ被覆を破壊して、サブユニットである光ファイバテープ心線等を分離する際に、容易に上層のテープ被覆を除去してサブユニットの光ファイバテープ心線を分離することができるという効果が得られる。
【発明を実施するための最良の形態】
【００１２】
以下、本発明に係る実施形態を図面に基づいて詳細に説明する。
図１は本発明の実施形態に係る光ファイバ心線をサブユニットとする光ファイバテープ心線を示す断面図、図２は本発明の実施形態に係る光ファイバテープ心線をサブユニットとする光ファイバテープ心線を示す側面図、図３（Ａ）は光ファイバテープ心線を分離する際に使用する分岐工具の側面図、（Ｂ）は光ファイバテープ心線を挟んだ状態を示す側面図、（Ｃ）は分離作業状態を示す平面図、図４はしごき部の斜視図、図５（Ａ）は分離前の光ファイバテープ心線の断面図、（Ｂ）は１段階分離した状態を示す断面図、（Ｃ）は２段階分離した状態を示す断面図、図６は剥離層のシリコーンオイル含有量と被覆層の除去性との実験結果を示す表である。
【００１３】
図１に示すように、本発明の実施形態に係る光ファイバテープ心線１０Ａは、光ファイバ１１を紫外線硬化型樹脂の被覆層１２で被覆した光ファイバ心線１３を複数本並列させて紫外線硬化型樹脂の被覆層１４でテープ状に一括被覆して形成されている。そして、光ファイバテープ心線１０Ａにおいては、下層である被覆層１２と上層である被覆層１４との界面にシリコーンオイルの剥離層１５が形成されている。
従って、下層の被覆層１２と上層の被覆層１４との界面とは、光ファイバ心線１３の被覆の外面と光ファイバテープ心線１０Ａのテープ被覆（すなわち被覆層１４）の内面との境界面となり、ここに剥離層１５が設けられることになる。
【００１４】
あるいは、図２に示すように、光ファイバテープ心線１０Ｂは、前述した光ファイバテープ心線１０Ａを複数本並列させて紫外線硬化型樹脂の被覆層１６でテープ状に一括被覆して形成されている。そして、下層である被覆層１４と上層である被覆層１６との界面にシリコーンオイルの剥離層１７が形成されている。
【００１５】
すなわち、この光ファイバテープ心線１０Ｂにおいては、前述した光ファイバテープ心線１０Ａにおいて上層の被覆層１４がここでは下層の被覆層１４となり、さらにその上に上層の被覆層１６が設けられることになる。
従って、下層の被覆層１４と上層の被覆層１６との界面とは、光ファイバテープ心線１０Ａのテープ被覆（すなわち被覆層１４）の外面と光ファイバテープ心線１０Ｂのテープ被覆（すなわち被覆層１６）との境界面となり、ここに剥離層１７が設けられることになる。
なお、前述したように光ファイバテープ心線１０Ａにも剥離層１５が設けられており、光ファイバテープ心線１０Ｂにおいては、２層の剥離層１５、１７を挟んで３層の被覆層１２、１４、１６が設けられていることになる。
【００１６】
以上、前述した光ファイバテープ心線１０Ａ、１０Ｂによれば、光ファイバテープ心線１０Ａ、１０Ｂの上層の被覆層１４、１６をブラシ等の分岐工具を用いて擦って、上層の被覆層１４、１６を破壊して、サブユニットである光ファイバテープ心線等１３、１０Ａを分離する際に、シリコーンオイルの剥離層１５、１７によって上層の被覆層１４、１６を容易に除去することができる。これにより、容易にサブユニットの光ファイバ心線１３または光ファイバテープ心線１０Ａを分離することができる。
なお、光ファイバテープ心線１０Ａを分離した場合には、さらに同様の作業を行うことにより、段階的に光ファイバ心線１３を分離することができる。
【００１７】
なお、下層の被覆層１２（１４）には１〜５％のシリコーンオイルを添加した樹脂を用い、この下層の被覆層１２（１４）からシリコーンオイルが表面にブリードした状態で上層の被覆層１４（１６）がオーバーコートされるのが望ましい。
これにより、下層である被覆層１２（１４）と上層である被覆層１４（１６）との界面に、容易にシリコーンオイルの剥離層１５（１７）を形成することができる。なお、シリコーンオイルにおけるシリコン添加剤の濃度は、１〜５％に保持する必要がある。
【００１８】
次に、光ファイバテープ心線の製造方法について説明する。
図１に示すように、光ファイバ１１を紫外線硬化型樹脂の被覆層１２で被覆した光ファイバ心線１３を製造し、この光ファイバ心線１３を複数本並列させて紫外線硬化型樹脂の被覆層１４でテープ状に一括被覆してなる光ファイバテープ心線１０Ａを製造する。この際、下層の被覆層１２に１〜５％のシリコーンオイルを添加し、このシリコーンオイルが下層の被覆層１２の外表面にブリードした状態で上層の被覆層１４をオーバーコートして製造する。
また、図２に示すように、前述したようにして製造した光ファイバテープ心線１０Ａを複数本並列させてさらに紫外線硬化型樹脂の被覆層１６でテープ状に一括被覆して光ファイバテープ心線１０Ｂを製造する。この際、下層の被覆層１４に１〜５％のシリコーンオイルを添加し、このシリコーンオイルが下層の被覆層１４の外表面にブリードした状態で上層の被覆層１６をオーバーコートして製造する。
【００１９】
前述した光ファイバテープ心線の製造方法によれば、下層の被覆層１２、１４に１〜５％のシリコーンオイルを添加し、このシリコーンオイルが下層の被覆層１２、１４の外表面にブリードした状態で上層の被覆層１４、１６をオーバーコートするので、下層の被覆層１２、１４と上層の被覆層１４、１６との間に容易に剥離層１５、１７を設けることができる。
【００２０】
次に、前述した光ファイバテープ心線１０Ａ、１０Ｂの分離作業について説明する。
図３には、光ファイバテープ心線１０Ａ、１０Ｂから光ファイバ心線１３や光ファイバテープ心線１０Ａを分離する際に使用する分岐工具３０が示されている。
図３に示すように、この分岐工具３０は、ヒンジ３３によって回動自在に設けられている上ベース３１および下ベース３２を有しており、両ベース３１、３２の内側面先端部には、架台３４を介して後述するしごき部３５（図４参照）が対向して設けられている。また、下ベース３２の内側面中央部には、両ベース３１、３２が回動して過度に接近するのを防止するための過圧迫防止ストッパネジ３６が取り付けられた架台３７が取り付けられている。一方、上ベース３１の内側面中央部には、過圧迫防止ストッパネジ３６を受ける架台３８が取り付けられている。
【００２１】
図４に示すように、しごき部３５は、矩形状のベースプレート３５ａに線材３５ｂが多数植設されている。線材３５ｂは、例えばポリエチレン、ナイロン、ポリプロピレン等のプラスチックにより形成されている。
【００２２】
従って、光ファイバテープ心線１０Ａ（１０Ｂ）の被覆層１２、１４（１４、１６）をしごいて除去する際には、まず、図３（Ａ）に示すように、光ファイバテープ心線１０Ａ（１０Ｂ）を下側のしごき部３５の線材３５ｂの上に載せる。ついで、上下ベース３１、３２を手で握って、上下のしごき部３５、３５で光ファイバテープ心線１０Ａ（１０Ｂ）を挟み、図３（Ｃ）に示すように、分岐工具３０を光ファイバテープ心線１０Ａ（１０Ｂ）の長手方向に沿ってしごき方向へ相対的に移動させる。
【００２３】
これにより、しごき部３５の線材３５ｂの先端部が光ファイバテープ心線１０Ａ（１０Ｂ）の被覆層１２、１４（１４、１６）をしごいて破壊する。このとき、上層の被覆層１４（１６）と下層の被覆層１２（１４）との間に設けられている剥離層１５（１７）の作用により、下層の被覆層１２（１４）には損傷を与えないで上層の被覆層１４（１６）を容易に剥がすことができる。
【００２４】
次に、図２に示した光ファイバテープ心線１０Ｂについて実際に分離作業を行った。
試験に用いた光ファイバテープ心線１０Ｂは、２本の光ファイバ１１を０〜１０％のシリコーン添加剤を添加した下層の被覆層１４で一括被覆して光ファイバテープ心線１０Ａを形成し、この光ファイバテープ心線１０Ａを４本並列し、その上から上層の被覆層１６で一括被覆して製造したものである。また、光ファイバテープ心線１０Ｂの製造において、下層の被覆層１４のシリコーン添加剤を表面にブリードさせて剥離層１７を形成した状態で、上層の被覆層１６をオーバーコートした。
【００２５】
この様にして製造された光ファイバテープ心線１０Ｂを、図３および図４において前述した分岐工具３０で挟んでしごくことによって、各テープ心線毎の分離を行った。すなわち、図５（Ａ）に示す光ファイバテープ心線１０Ｂの上層の被覆層１６を分岐工具３０でしごいて除去し、図５（Ｂ）に示すように、各光ファイバテープ心線１０Ａ毎に分離する。次いで、光ファイバテープ心線１０Ａにおいて上層となる被覆層１４を分岐工具３０でしごいて除去し、図５（Ｃ）に示すように、各光ファイバ１１毎に分岐した。
【００２６】
このときの分離性が、図６に示されている。シリコーン添加物の含有量が１〜５％の樹脂で被覆層１２、１４、１６を作成したテープ心線１０Ｂは、良好な分離性を確保することができた。また、シリコーン添加物を添加しなかったもの(図６中０％)は、上層の被覆層１６（１４）と下層の被覆層１４（１２）の界面における密着が強く、分離不可能であった。また、シリコーン添加物の含有量が６〜１０％の被覆層１２、１４、１６は、被覆時の硬化性が悪くなり、剥離性が悪くなる。このため、分離しないか、または、連結させている上層の被覆層１６（１４）と一緒に一気に下層の被覆層１４（１２）まで壊れてしまった。
また、下層の被覆層１４（１２）のシリコーン添加物を十分にブリードさせる前に、上層の被覆層１６（１４）をオーバーコートした場合には、上層の被覆層１６（１４）と下層の被覆層１４（１２）との密着が強く、分離することができなかった。
【００２７】
このように構成された光ファイバテープ心線においては、下層の被覆層に含まれているシリコーンオイルがブリードした状態で剥離層の役目を果たすので、上層の被覆層を擦って破壊すると、容易に上層の被覆層が剥離する。これにより、容易にサブユニットの光ファイバテープ心線を分離することができる。
【００２８】
なお、本発明の光ファイバテープ心線は、前述した実施形態に限定されるものでなく、適宜な変形，改良等が可能である。
例えば、前述した実施形態において、単心の光ファイバ１１を被覆層１２で被覆して光ファイバ心線１３を形成し、さらに光ファイバ心線１３を複数本並列して光ファイバテープ心線１０Ａを形成した場合、および２本の光ファイバ心線１３を有する光ファイバテープ心線１０Ａを複数並列して光ファイバテープ心線１０Ｂを形成した場合について説明したが、光ファイバ１１の本数や、光ファイバテープ心線１０Ａの本数はこれに限るものではない。また、光ファイバテープ心線１０Ｂを複数本並列して被覆層により一括被覆して光ファイバテープ心線を形成するようにすることもできる。さらに、同様にして、多層の被覆層を有する光ファイバテープ心線を形成することも可能である。
また、テープ心線に関しては、２層の場合および３層の場合について説明したが、これに限らず、３層以上の構成とすることができる。
【産業上の利用可能性】
【００２９】
以上のように、本発明に係る光ファイバテープ心線および光ファイバテープ心線の製造方法は、上層のテープ被覆と下層のテープ被覆との間にシリコーンオイルの剥離層を設けたので、光ファイバテープ心線をブラシ等で擦って上層のテープ被覆を破壊して、サブユニットである光ファイバテープ心線等を分離する際に、容易に上層のテープ被覆を除去してサブユニットの光ファイバテープ心線を分離することができるという効果を有し、複数本の光ファイバ心線を並列させて一括被覆した光ファイバテープ心線またはさらに複数本の光ファイバテープ心線を並列させて一括被覆した光ファイバテープ心線および光ファイバテープ心線の製造方法等として有用である。
【図面の簡単な説明】
【００３０】
【図１】本発明の実施形態に係る光ファイバ心線をサブユニットとする光ファイバテープ心線を示す断面図である。
【図２】本発明の実施形態に係る光ファイバテープ心線をサブユニットとする光ファイバテープ心線を示す側面図である。
【図３】（Ａ）は光ファイバテープ心線を分離する際に使用する分岐工具の側面図である。（Ｂ）は光ファイバテープ心線を挟んだ状態を示す側面図である。（Ｃ）は分離作業状態を示す平面図である。
【図４】しごき部の斜視図である。
【図５】（Ａ）は分離前の光ファイバテープ心線の断面図である。（Ｂ）は１段階分離した状態を示す断面図である。（Ｃ）は２段階分離した状態を示す断面図である。
【図６】剥離層のシリコーンオイル含有量と被覆層の除去性との実験結果を示す表である。
【符号の説明】
【００３１】
１０Ａ、１０Ｂ  光ファイバテープ心線
１１  光ファイバ
１２  被覆層
１３  光ファイバ心線
１４、１６  被覆層
１５、１７  剥離層
【図１】
2007328269.tif 000003
【図２】
2007328269.tif 000004
【図３】
2007328269.tif 000005
【図４】
2007328269.tif 000006
【図５】
2007328269.tif 000007
【図６】
2007328269.tif 000008